(57)【要約】【課題】シーンチェンジ時における符号化効率の低下を回避し、画質劣化を抑止することを可能にした動画像符号化装置を提供する。【解決手段】Ｈ．２６４規格に従って符号化処理を行うエンコーダの構成におけるイントラマクロブロックとインターマクロブロックの選択切替え部を、シーンチェンジ検出部１０４で構成し、シーンチェンジ検出部１０４により、シーンチェンジ検出後の予測符号化画面を、一端側から他端側に向けて一定領域を占めるイントラマクロブロックの領域を漸次移動させつつイントラマクロブロックが通過後の領域をインターマクロブロックの領域で充当し、イントラマクロブロックの領域が未到の部分領域の符号化処理をスキップさせる形態のワイプ処理を当該インターマクロブロックの領域が画面全域を占めるに到るまで継続することによって形成し、該形成後、通常の予測符号化画面形成処理に復帰する。【選択図】  図１
2012060423.tif 000002
【特許請求の範囲】
【請求項１】
符号化の対象となる動画像を、画面内予測処理によるイントラマクロブロックと画面間予測処理によるインターマクロブロックとを切替えて適用することによって形成した予測画面と当該動画像中の該予測画面に対応する画面との差分について符号化器により符号化処理を実行することによって符号化する動画像符号化装置であって、
前記動画像におけるシーンチェンジを検出し、該シーンチェンジ検出後の予測符号化画面を、一端側から他端側に向けて一定領域を占めるイントラマクロブロックの領域を漸次移動させつつ当該イントラマクロブロックが通過後の領域をインターマクロブロックの領域で充当すると共に前記符号化器に符号化処理制御信号を供給して当該イントラマクロブロックの領域が未到の部分領域の符号化処理をスキップさせる形態のワイプ処理を当該インターマクロブロックの領域が画面全域を占めるに到るまで継続することによって形成するシーンチェンジ検出部を備え、
前記符号化器は、前記シーンチェンジ検出部から供給される符号化処理制御信号に応じて、前記ワイプ処理の期間中、当該イントラマクロブロックの領域が未到の部分領域の符号化処理をスキップさせる処理を実行することを特徴とする動画像符号化装置。
【発明の詳細な説明】
【技術分野】
【０００１】
本発明は、動画像符号化規格に従って、動画像データの符号化処理を行う動画像符号化装置に関する。
【背景技術】
【０００２】
近年、動画像データの伝送量は増加の一途を辿っている。ここでＮＴＳＣ（National Television System Committee）方式のビデオ信号を符号化処理する場合の伝送データ量は次の通りである。
【０００３】
１フレームを構成する画素数は水平方向に７２０画素、垂直方向に４８０画素である。これらの各画素は８ビットの輝度データと、２つの色差データ８ビットとによって表わされる。そして、１秒間の動画は３０枚の画面（フレーム）から構成されている。
【０００４】
現在は、輝度成分のデータに対して、色成分（２つの色差信号）については垂直および水平方向に各半分のデータを割当てるようにしている。従って、１秒間のデータ量は
720×480×(8+8×1/2×1/2+8×1/2×1/2)×30=124416000ビットである。即ち、伝送レートとしては、約１２０Ｍｂｐｓとなる。
【０００５】
しかしながら、現在家庭用ブロードバンドとして普及している光ファイバであっても、１００Ｍｂｐｓ程度であり、映像を非圧縮で伝送する事は出来ない。日本では、２０１１年にテレビジョン放送が地上ディジタル放送に切り替わる。地上ディジタル放送におけるデータ量は1.5Gbpsと言われており、高効率圧縮技術は今後一段とその重要性を増してくるものと目されている。
【０００６】
現在、高効率の動画像圧縮符号化標準規格としてＨ．２６４／ＡＶＣ(以下、Ｈ．２６４)がある。
【０００７】
Ｈ．２６４は、電気通信に関する国際標準機関であるＩＴＵ−Ｔ（International
Telecommunication Union-Telecommunication Standardization Sector）のビデオ符号化専門家グループであるＶＣＥＧ（Video Coding  Experts  Group）とＩＳＯ（International  Organization  for  Standardization）／ＩＥＣ（International  Electrotechnical  Commission）の動画像符号化専門家グループであるＭＰＥＧ（Moving  Picture  Expert  Group）が２００１年１２月に共同で設立したＪＶＴ（Joint  Video  Team）によって開発された動画像符号化の最新の国際標準規格である。
【０００８】
ＩＴＵ−Ｔでは勧告として、２００３年５月に承認されている。第一合同技術委員会であるＩＳＯ  ／ＩＥＣ  ＪＴＣ  １では２００３年にＭＰＥＧ４ ｐａｒｔ−１０：ＡＶＣ（Advanced  Video  Coding）として標準化されている。
【０００９】
また、色空間や画素階調に関する拡張作業も行われ、Fidelity Range Extention  （FRExt）として２００４年７月に最終標準案が作成されている。
【００１０】
Ｈ．２６４の主な特徴は以下の通りである。
・従来方式のＭＰＥＧ−２やＭＰＥＧ−４に比べて約２倍の符号化効率で同程度の画質を実現できる。
・圧縮アルゴリズム：ピクチャ間予測、量子化、エントロピー符号を採用している。
・携帯電話等の低ビットレートからハイビジョンテレビ等の高ビットレートまで幅広く利用可能である。
【００１１】
このように、動画像符号化技術は、今日、様々な議論がなされており、次期規格としてＨ．２６５の標準化作業も進められている。
【００１２】
次に、図面を参照してＨ．２６４による動画像符号化処理について詳細に説明する。
【００１３】
図３は、Ｈ．２６４における一般的なエンコーダの構成を表す機能ブロック図である。Ｈ．２６４の処理を行うこのエンコーダ３００では、入力端３０１に供給される動画像データが、１つの画面内で予測画像を生成する画面内予測部３０２と、複数の画面に基づいて予測画像を生成する画面間予測部３０３との各一方の入力端に供給される。
【００１４】
尚、入力端３０１に供給される動画像データは、Ｈ．２６４に規定されたＦＭＯ（Flexible Macroblock Ordering）によってマクロブロック化された画像データブロックのうち任意のブロックを読み出せるようにするためのフレームバッファを経て、当該マクロブロック毎に後段の処理に附されるが、図３においてはこのフレームバッファは省略してある。またＦＭＯについても説明を省略する。
【００１５】
上述の画面内予測部３０２で実行される画面内予測処理、および、画面間予測部３０３で実行される画面間予測処理は、何れもＨ．２６４において規定されている通りの処理であり、それぞれ予測画像データを得る。
【００１６】
画面内予測部３０２および画面間予測部３０３で得た各予測画像データは、選択切替え部３０４を介して選択された予測画像データが差分器３０５に供給され、ここで入力端３０１から供給される動画像データとの差分が求められる。この差分器３０５における処理は、上述の予測画像データおよび動画像データについてのそれぞれのマクロブロック毎に区分されたデータについて差分を求める形で実行され、差分画像データを得る。
【００１７】
差分器３０５の出力である差分画像データは、直交変換器３０６において離散コサイン変換（ＤＣＴ）等の直交変換が施され、次いで、量子化器３０７において量子化され、更に、符号化器３０８において符号化され、この符号化器３０８の出力として動画像符号化出力データである符号化画像データストリームを得る。
【００１８】
一方、量子化器３０７において量子化されたデータは、逆量子化器３０９で逆量子化され、次いで、逆直交変換器３１０で逆ＤＣＴ変換され、更に、加算器３１１で予測画像データが加えられて、復元画像データが得られる。
【００１９】
この復元画像データは、一方では、画面内予測処理を行うための一つの入力データとして画面内予測部３０２の他方の入力端に供給され、他方では、フィルタ３１２を通して一旦メモリ３１３に蓄積される。そして、この蓄積された画像データのうち入力端３０１に供給される動画像データのフレームの到来時点から複数フレーム分遡及した期間に該当する画像データが読み出されて画面間予測部３０３の他方の入力端に供給されて画面間予測処理に供される。
【００２０】
Ｈ．２６４では、上述のように差分画像データのみを符号化し、伝送することによって高い符号化効率および伝送効率を実現している。
【００２１】
ここで、画面内予測部３０２で実行される画面内予測処理とは、近接画素間の相関を利用して予測画像を生成する手法である。この画面内予測処理では、予測対象画素を表すデータをその周辺画素との相関によって生成しており、予測対象ブロックの左側から右上の画素を利用する。
【００２２】
次に、図４を参照して画面内予測処理について更に説明する。
【００２３】
図４は、例として、４×４画素単位で画面内予測処理によって予測画像生成を行う場合の画面内予測処理について説明するための図である。
【００２４】
図４におけるＡ−Ｍが予測に用いる参照画素となる。Ｈ．２６４／ＡＶＣでは４×４画素のブロック単位(以下：４×４ブロック)、８×８画素のブロック単位(以下：８×８ブロック)、１６×１６画素のブロック単位(以下：１６×１６ブロック)で予測画像の生成を行うことが可能である。これらのブロック単位に対して、適用可能な画面内予測の処理モードとしては、４×４ブロックおよび８×８ブロックについては各９モード、１６×１６ブロックについては４モードの合計２２モードが適用可能である。
【００２５】
次いで、図５を参照して画面間予測処理について説明する。
【００２６】
画面間予測は、図５に示すように、予測対象の画像Ｐ５０１（時点ｔ＝０）に対し、その前後のピクチャ（参照ブロック）Ｐ５００（時点ｔ＝−１）およびピクチャ（参照ブロック）Ｐ５０２（時点ｔ＝１）から予測画像を生成する処理である。即ち、画面間予測では、前後のピクチャから予測対象画素の動きベクトルを計算し、予測画像を生成する。
【００２７】
以上説明したように、Ｈ．２６４は、様々な手法を駆使しており、ＭＰＥＧ１，２などよりも更なる高効率の動画像圧縮技術として規格化されるに到っている。
【００２８】
ここで、画面間予測について、図６を参照して更に説明する。
図６では一般的な符号化処理の流れを時間軸に沿って示し、説明の便宜上、簡易的に６枚のピクチャを図示している。この例では、最初のピクチャＩ０は画面内予測処理によって符号化し、以降のピクチャＰ１〜Ｐ５は画面間予測処理によって符号化している。この時、ピクチャＰ５はＰ４を参照画像として用いた予測画像として生成されたものであると仮定する。Ｐ４とＰ５との両ピクチャ間の時点でシーンチェンジが発生すると、両ピクチャ間の時間的な相関が失われる。このため、画面間予測の精度が下がり、シーンチェンジ後に画質劣化が暫らく続いてしまうといった問題がある。このような問題に対して、シーンチェンジ検出時に画面内予測を用いて符号化を行うＩＤＲ（Instantaneous Decoder Refresh）ピクチャを挿入する方法が提案されている（特許文献１参照）。
【先行技術文献】
【特許文献】
【００２９】
【特許文献１】特開２００７−１８４９０９号公報
【発明の概要】
【発明が解決しようとする課題】
【００３０】
しかしながら、画面内予測によって発生する符号量は画面間予測に比べて大きく、特許文献１における提案手法のようにシーンチェンジ検出時にＩＤＲピクチャを挿入しても、符号化効率が低下し、寧ろ画質劣化を来たす虞がある。
【００３１】
本発明は、シーンチェンジ時に符号化効率が低下し、画質劣化が生ずるという従来の問題点に対し、シーンチェンジ時における符号化効率の低下を回避し、画質劣化を抑止することを可能にした動画像符号化装置を提供することを目的とする。
【課題を解決するための手段】
【００３２】
上記目的を達成するべく、本願では次のような動画像符号化装置を提案する。
（１）符号化の対象となる動画像を、画面内予測処理によるイントラマクロブロックと画面間予測処理によるインターマクロブロックとを切替えて適用することによって形成した予測画面と当該動画像中の該予測画面に対応する画面との差分について符号化器により符号化処理を実行することによって符号化する動画像符号化装置であって、
前記動画像におけるシーンチェンジを検出し、該シーンチェンジ検出後の予測符号化画面を、一端側から他端側に向けて一定領域を占めるイントラマクロブロックの領域を漸次移動させつつ当該イントラマクロブロックが通過後の領域をインターマクロブロックの領域で充当すると共に前記符号化器に符号化処理制御信号を供給して当該イントラマクロブロックの領域が未到の部分領域の符号化処理をスキップさせる形態のワイプ処理を当該インターマクロブロックの領域が画面全域を占めるに到るまで継続することによって形成するシーンチェンジ検出部を備え、
前記符号化器は、前記シーンチェンジ検出部から供給される符号化処理制御信号に応じて、前記ワイプ処理の期間中、当該イントラマクロブロックの領域が未到の部分領域の符号化処理をスキップさせる処理を実行することを特徴とする動画像符号化装置。
【００３３】
上記（１）の動画像符号化装置では、シーンチェンジ後の符号化画面の形成を上述のワイプ処理によって実行するため、緩やかにシーンチェンジが行われ、動画像符号化におけるシーンチェンジに際しての画質劣化が効果的に回避される。
【００３４】
また、シーンチェンジ後に画面内予測処理によるイントラ符号化画面（Iピクチャ）を挿入する方法に比し、発生する符号量が抑制される。
【発明の効果】
【００３５】
本発明の動画像符号化装置によれば、シーンチェンジ後に画面内予測処理によるイントラ符号化画面（Iピクチャ）を挿入する方法に比し、発生する符号量が抑制され、且つ、画質劣化も抑制される動画像符号化装置を実現することができる。
【図面の簡単な説明】
【００３６】
【図１】本発明の動画像符号化装置の構成を表す機能ブロック図である。
【図２】図１の装置における処理の流れを説明するための図である。
【図３】Ｈ．２６４における一般的なエンコーダの機能ブロック図である。
【図４】Ｈ．２６４における画面内予測処理について説明するための図である。
【図５】Ｈ．２６４における画面間予測処理について説明するための図である。
【図６】Ｈ．２６４における画面間予測の処理の流れ示す例である。
【発明を実施するための最良の形態】
【００３７】
以下、図面を参照して本発明の実施の形態としての動画像符号化装置について詳述することにより本発明を明らかにする。
（本発明の動画像符号化装置の構成）
図１は、本発明の一つの実施の形態としての動画像符号化装置の構成を表す機能ブロック図である。
【００３８】
図１の動画像符号化装置１００において、符号化処理の対象とされる動画像データは入力端１０１に供給される。
【００３９】
この入力端１０１に供給される動画像データは、Ｈ．２６４に規定されたＦＭＯによってマクロブロック化された画像データのうち任意のマクロブロックを読み出せるようにするための図示しないフレームバッファを経て、当該マクロブロック毎に後段の処理に附される。しかしながら、この部分の処理自体は公知のものであるため、以下では、適宜簡略化して、動画像データ乃至は画像データに関する処理として説明する。
【００４０】
入力端１０１に供給された動画像データは画面内予測部１０２と、画面間予測部１０３との各一方の入力端に供給される。
【００４１】
画面内予測部１０２は、１つの画面内で予測画像を生成する画面内予測処理を実行し、画面間予測部１０３は、複数の画面に基づいて予測画像を生成する画面間予測処理を実行する。
【００４２】
上述の画面内予測部１０２で実行される画面内予測処理、および、画面間予測部１０３で実行される画面間予測処理は、何れもＨ．２６４において規定されている処理である。
【００４３】
画面内予測部１０２および画面間予測部１０３で得た各予測画像データは、シーンチェンジ検出部１０４を介して差分器１０５に供給される。
【００４４】
差分器１０５によって、入力端１０１から供給される動画像データと各予測画像データとの差分が求められる。差分器１０５における処理は、より詳細には、各予測画像データおよび動画像データについてのそれぞれのマクロブロック毎に区分されたデータについて差分を求める形で実行され、差分画像データを得る。
【００４５】
差分器１０５から出力される差分画像データは、直交変換器１０６において離散コサイン変換（ＤＣＴ）等の直交変換が施され、次いで、量子化器１０７において量子化され、更に、符号化器１０８において符号化される。そして、この符号化器１０８の出力として動画像符号化出力データである符号化画像データストリームを得る。
【００４６】
後述するように、この実施の形態では、符号化器１０８は、シーンチェンジ検出部１０４から供給される符号化処理制御信号ＳＣによってその動作が制御される。
【００４７】
一方、量子化器１０７において量子化されたデータは、逆量子化器１０９で逆量子化され、次いで、逆直交変換器１１０で逆ＤＣＴ変換され、更に、加算器１１１で予測画像データが加えられて、復元画像データが得られる。
【００４８】
この復元画像データは、一方では画面内予測処理を行うための一つの入力データとして画面内予測部１０２の他方の入力端に供給され、他方ではフィルタ１１２を通して一旦メモリ１１３に蓄積される。そして、この蓄積された画像データのうち入力端３０１に供給される動画像データのフレームの到来時点から複数フレーム分遡及した期間に該当する画像データが読み出されて画面間予測部１０３の他方の入力端に供給されて画面間予測処理に供される。
【００４９】
Ｈ．２６４では、上述のように差分画像データのみを符号化し、伝送することによって高い符号化効率および伝送効率を実現している。
【００５０】
画面内予測部１０２で実行される画面内予測処理については、図４を参照して既述の通りである。
【００５１】
また、画面間予測部１０３で実行される画面間予測処理については、図５を参照して既述の通りである。
【００５２】
シーンチェンジ検出部１０４におけるシーンチェンジの検出は、例えば、特開平９−２１４９７５号公報等に開示された公知の手法を適用して実行され得る。
【００５３】
後述するように、本実施の形態では、シーンチェンジ検出部１０４では、シーンチェンジを検出すると、画面内予測を用いて符号化したイントラマクロブロック（１６画素×１６画素）を画面左端から一定領域に挿入し、それ以外のマクロブロックをスキップする。
【００５４】
また、前述の一定領域のイントラマクロブロックを画面右端に向けて動かすことによって、緩やかにシーンチェンジを行い動画像符号化におけるシーンチェンジに際しての画質劣化を効果的に回避している。
【００５５】
尚、上述のスキップは、シーンチェンジ検出部１０４でシーンチェンジの検出に基づいて生成した符号化処理制御信号ＳＣを符号化器１０８に供給し、この符号化器１０８における処理動作を制御することによって実行される。
（動画像符号化装置における処理の流れ）
次に図２を参照して、図１の動画像符号化装置１００における処理の流れを説明する。
【００５６】
図２は、図１の動画像符号化装置における動画像符号化処理の流れを説明するための概念図である。
【００５７】
図２では、動画像における時系列の順次のピクチャ（その画像データ）の遷移について、或るシーンチェンジが検出された時点ｔ１直前の状態のピクチャをピクチャ−１と表記し、これ以降の、各時点ｔ２、ｔ３、ｔ４、…、ｔｍ、ｔｍ＋１における各ピクチャをピクチャ０、ピクチャ１、ピクチャ２、…、ピクチャｎ、ピクチャｔｎ＋１と表記している。
【００５８】
シーンチェンジ検出部１０４は、シーンチェンジを検出すると（ｔ１）、先ずシーンチェンジ後の最初のピクチャを符号化する際に、画面端（図示の例では左側端）から一定の部分領域に画面内予測処理による画像であるイントラマクロブロック（１６画素×１６画素）を適用するようにして予測画像の画面を構成する（ｔ２：ピクチャ０）。
【００５９】
図２のピクチャ０の画面では、画面内予測処理による画像の一定の部分領域（イントラマクロブロックを適用して形成された部分）について「Ｉ」と表記している。そして、ピクチャ０の画面における残りのマクロブロックはスキップするようにして処理される。
【００６０】
上述のようなスキップする処理は、シーンチェンジ検出部１０４が符号化器１０８に供給する符号化処理制御信号ＳＣによって符号化器１０８の動作を制御することによって実行される。
【００６１】
次の時点ｔ３では、上述のピクチャ０においてイントラマクロブロックを適用した一定の部分領域については、この部分領域が右へ移動している。そして、この右への移動によってイントラマクロブロックを適用した一定の部分領域が通過した後の領域については、画面間予測処理による画像であるインターマクロブロックを適用してこの領域に充当する。これにより、先のピクチャ０におけるイントラマクロブロックを適用した一定の部分領域が画面の右側に移動して、該移動後にインターマクロブロックを充当した領域の右側に隣接する一定の部分領域を占めるようなピクチャ１の画面が形成される。
【００６２】
図２のピクチャ１の画面では、新たな画面間予測処理による画像の部分（インターマクロブロックを適用して形成された部分）について「Ｐ」と表記し、その右側に隣接するインターマクロブロックを適用した領域について「Ｉ」と表記している。そして、ピクチャ０の画面における残りのマクロブロックは符号化器１０８においてスキップするようにして処理される。
【００６３】
既述のように、スキップする処理は、シーンチェンジ検出部１０４が符号化器１０８に供給する符号化処理制御信号ＳＣによって符号化器１０８の動作を制御することによって実行される。
【００６４】
更に次の時点ｔ４では、イントラマクロブロックを適用した一定の部分領域が更に画面の右側に移動する。この移動の後に、上述のピクチャ１においてイントラマクロブロックを適用してリフレッシュされた一定の部分領域については、インターマクロブロックを適用してこの部分領域に充当する。この結果、インターマクロブロックで充当した領域は先の２倍の幅に右側に広がり、その右側に隣接する一定の部分領域をイントラマクロブロックを適用した一定の部分領域が占めるようなピクチャ２の画面が形成される。
【００６５】
図２のピクチャ２の画面では、インターマクロブロックを適用して形成した拡張された領域について「Ｐ」と表記し、その右側に隣接するイントラマクロブロックを適用した領域について「Ｉ」と表記している。そして、ピクチャ０の画面における残りのマクロブロックはスキップするようにして処理される。
【００６６】
上述の場合も、スキップする処理は、シーンチェンジ検出部１０４が符号化器１０８に供給する符号化処理制御信号ＳＣによって符号化器１０８の動作を制御することによって実行される。
【００６７】
以上のような時系列のピクチャ０、ピクチャ１、ピクチャ２、…、ピクチャｎにおける画面形成処理を、順次、イントラマクロブロックを適用して形成した一定の部分領域を漸次画面の右側に移動させつつ実行する（時点ｔｍ：ピクチャｎ）。ここでは、図２を参照して説明したような処理をワイプ処理と称呼し、図中、ワイプ処理を適用する期間を矢線に「ワイプ処理」と併記して表している。
【００６８】
そして、インターマクロブロックの領域が画面全域を占めるに到る際にワイプ処理を終了する。
【００６９】
本実施の形態では、このワイプ処理の終了後、Ｈ．２６４規格に従った通常の処理に移行する（時点ｔｍ＋１：ピクチャｎ＋１）。
【００７０】
本実施の形態では、ワイプ処理が完了したマクロブロックを、画面間予測を用いて符号化することによって、ピクチャ間の時間的な相関を利用することが可能である。このため、予測精度の低下を抑制することができ、且つ、シーンチェンジ後に画面内予測処理による予測画面であるイントラ符号化画面（Iピクチャ）を挿入する方法に比し、符号化効率を悪化させるという問題を効果的に回避することができる。
【００７１】
水平１９２０画素の場合、符号化画面形成のためにイントラマクロブロックを各ピクチャで１２ブロック挿入した場合、１０ピクチャでワイプ処理が完了する。この処理時間は地上デジタルテレビジョンにおける1920×1080/59.94iのフォーマット（1920×1080画素インターレース方式の規格で、フィールド周波数は59.94Hz、フレームレートが秒間３０コマ再生）の場合には、約０．１６秒に相当する。一般に、この程度の時間であれば、主観画質評価においてもワイプ処理による違和感は生じない。
【００７２】
更に、本実施の形態ではＨ．２６４に準拠した符号化処理が行われるため、符号化された動画像を一般的なＨ．２６４デコーダによって容易に復号処理することが可能であるという利点がある。
（付記）
以上に説明した本発明の実施の形態は次に付記として例示的に列挙するような技術思想として敷衍され乃至は要約される。
（付記１）
Ｈ．２６４規格に従って符号化処理を行うエンコーダにおけるイントラマクロブロックとインターマクロブロックとを選択切替え部により切替えて適用することによって形成した予測画面と符号化対象の動画像中の該予測画面に対応する画面との差分について符号化器により符号化処理を実行する構成における前記選択切替え部を、シーンチェンジ検出機能を有するシーンチェンジ検出部として構成すると共に、前記符号化器を前記シーンチェンジ検出部から供給される符号化処理制御信号によって符号化処理態様を制御可能に構成し、且つ、
前記シーンチェンジ検出部は、シーンチェンジ検出後の予測符号化画面を、一端側から他端側に向けて一定領域を占めるイントラマクロブロックの領域を漸次移動させつつ当該イントラマクロブロックが通過後の領域をインターマクロブロックの領域で充当すると共に前記符号化器に符号化処理制御信号を供給して当該イントラマクロブロックの領域が未到の部分領域の符号化処理をスキップさせる形態のワイプ処理を当該インターマクロブロックの領域が画面全域を占めるに到るまで継続することによって形成し、該形成後、前記ワイプ処理を終了してＨ．２６４規格に従った通常の予測符号化画面形成処理に復帰するように構成され、
前記符号化器は、前記シーンチェンジ検出部から供給される符号化処理制御信号に応じて、前記ワイプ処理の期間中、当該イントラマクロブロックの領域が未到の部分領域の符号化処理をスキップさせる形態のワイプ処理を実行し、前記ワイプ処理の終了後、Ｈ．２６４規格に従った通常の符号化処理を行う状態に復帰するように構成されていることを特徴とする動画像符号化装置。
【００７３】
上記（付記１の）動画像符号化装置では、シーンチェンジ後の符号化画面の形成を上述のワイプ処理によって実行するため、緩やかにシーンチェンジが行われ、動画像符号化におけるシーンチェンジに際しての画質劣化が効果的に回避される。
【００７４】
また、シーンチェンジ後に画面内予測処理によるイントラ符号化画面（Iピクチャ）を挿入する方法に比し、発生する符号量が抑制される。
【００７５】
更に、Ｈ．２６４に準拠した符号化処理が行われるため、符号化された動画像を一般的なＨ．２６４デコーダによって容易に復号処理することが可能であるという利点がある。
（付記２）
符号化の対象となる動画像を、画面内予測処理によるイントラマクロブロックと画面間予測処理によるインターマクロブロックとを切替えて適用することによって形成した予測画面と当該動画像中の該予測画面に対応する画面との差分について符号化処理を実行することによって符号化する動画像符号化方法であって、
前記動画像におけるシーンチェンジを検出し、該シーンチェンジ検出後の予測符号化画面を、一端側から他端側に向けて一定領域を占めるイントラマクロブロックの領域を漸次移動させつつ当該イントラマクロブロックが通過後の領域をインターマクロブロックの領域で充当すると共に当該イントラマクロブロックの領域が未到の部分領域の符号化処理をスキップさせる形態のワイプ処理を当該インターマクロブロックの領域が画面全域を占めるに到るまで継続することによって形成するように符号化処理を実行することを特徴とする動画像符号化方法。
【００７６】
上記（付記２）の動画像符号化方法では、シーンチェンジ後の符号化画面の形成を上述のワイプ処理によって実行するため、緩やかにシーンチェンジが行われ、動画像符号化におけるシーンチェンジに際しての画質劣化が効果的に回避される。
【００７７】
また、シーンチェンジ後に画面内予測処理によるイントラ符号化画面（Iピクチャ）を挿入する方法に比し、発生する符号量が抑制される。
（付記３）
Ｈ．２６４規格に従って符号化処理を行う動画像符号化方法において、イントラマクロブロックとインターマクロブロックとを切替えて適用することによって形成した予測画面と符号化対象の動画像中の該予測画面に対応する画面との差分について符号化処理を実行する処理における前記選択切替え部の処理を、シーンチェンジ検出と共に実行し、且つ、
シーンチェンジ検出後の予測符号化画面を、一端側から他端側に向けて一定領域を占めるイントラマクロブロックの領域を漸次移動させつつ当該イントラマクロブロックが通過後の領域をインターマクロブロックの領域で充当すると共に当該イントラマクロブロックの領域が未到の部分領域の符号化処理をスキップさせる形態のワイプ処理を当該インターマクロブロックの領域が画面全域を占めるに到るまで継続することによって形成し、該形成後、前記ワイプ処理を終了してＨ．２６４規格に従った通常の予測符号化画面形成処理に復帰することを特徴とする動画像符号化方法。
【００７８】
上記（付記３）の動画像符号化方法では、シーンチェンジ後の符号化画面の形成を上述のワイプ処理によって実行するため、緩やかにシーンチェンジが行われ、動画像符号化におけるシーンチェンジに際しての画質劣化が効果的に回避される。
【００７９】
また、シーンチェンジ後に画面内予測処理によるイントラ符号化画面（Iピクチャ）を挿入する方法に比し、発生する符号量が抑制される。
【００８０】
更に、Ｈ．２６４に準拠した符号化処理が行われるため、符号化された動画像を一般的なＨ．２６４デコーダによって容易に復号処理することが可能であるという利点がある。
【符号の説明】
【００８１】
１００，３００…動画像符号化装置
１０１，３０１…入力部
１０２，３０２…画面内予測部
１０３，３０３…画面間予測部
１０４……………シーンチェンジ検出部
１０５，３０５…差分器
１０６，３０６…直交変換器
１０７，３０７…量子化器
１０８，３０８…符号化器
１０９，３０９…逆量子化器
１１０，３１０…逆直交変換器
１１１，３１１…加算器
１１２，３１２…フィルタ
１１３，３１３…メモリ
３０４……………選択切替え部
【図１】
2012060423.tif 000003
【図２】
2012060423.tif 000004
【図３】
2012060423.tif 000005
【図４】
2012060423.tif 000006
【図５】
2012060423.tif 000007
【図６】
2012060423.tif 000008